(57)【要約】【課題】弁当等に容易に取付けあるいは取外しのできる調味品用小袋およびその製造方法を提供すること。【解決手段】食品を封入してなる小袋のいずれか一方の外面に、両面接着テープを貼付した調味品用小袋を、少なくとも基材フィルム層とヒートシール層とからなる積層フィルムを繰出し走行させながら、縦および横のそれぞれのヒートシールによって、その積層フィルムをヒートシールして製造するに当たり、縦・横ヒートシールに先立ち、繰出し走行中の積層フィルムの基材フィルム層側の外表面に、両面接着テープを貼り付ける。【選択図】　　　図２
2004131112.tif 000002
【特許請求の範囲】
【請求項１】
食品を封入してなる小袋のいずれか一方の外面に、両面接着テープを貼付したことを特徴とする調味品用小袋。
【請求項２】
前記小袋が、少なくとも基材フィルム層とヒートシール層とからなる積層フィルムを、ヒートシールすることにより形成された軟質プラスチック製のものであることを特徴とする請求項１に記載の調味品用小袋。
【請求項３】
少なくとも基材フィルム層とヒートシール層とからなる積層フィルムを繰出し走行させながら、縦および横のそれぞれのヒートシールによって、その積層フィルムをヒートシールして小袋を製造するに当たり、縦・横ヒートシールに先立ち、繰出し走行中の積層フィルムの基材フィルム層側の外表面に、両面接着テープを貼り付けることを特徴とする調味品用小袋の製造方法。
【請求項４】
前記両面接着テープの貼付を、横ヒートシールの作動ピッチに合わせて行うことを特徴とする請求項３に記載の調味品用小袋の製造方法。
【発明の詳細な説明】
【０００１】
【発明の属する技術分野】
本発明は、インスタント食品や弁当等に添えて用いられる小袋に関し、とくに弁当等の包装外箱の表面に容易に貼付して用いられ、あるいは容易に取外しのできる調味品用小袋およびその製造方法に関する。
【０００２】
【従来の技術】
一般に、スーパーマーケットやコンビニエンスストア等において大量に流通している弁当、惣菜およびチルド食品等には、ソースやドレッシング、醤油（以下、「調味品」と称す）などを密封充填した軟質包装小袋が添えられている場合が多い。
【０００３】
たとえば、コンビニエンスストア等で売られている上記弁当等は、購入後に電子レンジで加温されることが多いが、このとき小袋内に密封充填された調味品が一緒に加熱されると、調味品の品質低下や変色を生じる他、小袋内ガスの膨張等による内圧の上昇によって、小袋が破袋するだけでなく、封入した調味品等が外に飛散する等の問題があった。そのため、かかる小袋は、電子レンジの加温前に弁当等からあらかじめ取り外すことが必要とされている。
【０００４】
しかしながら、従来の小袋は、図１に示すように小袋７全体が粘着テープ３等を用いてしっかりと弁当２に固着されているため、容易な取外しが困難であり、とくに取外しに際して、弁当をひっくり返してしまったり、小袋に設けられたマイナスノッチ４（小袋を、はさみ等の道具を用いることなしに開封できるように小袋シール部分に設けられた切込み）が破れてしまい、調味品等が飛散してしまったり等、使用に不便であるという問題点があった。
【０００５】
さらに、これらの小袋は、販売店で手作業により取り付けられている場合が多く、図１に示すような粘着テープによる固着方法では、手間がかかるという問題点もあった。
【０００６】
【課題を解決するための手段】
本発明は、上記問題点を解決し、弁当等に容易に取付けあるいは取外しのできる調味品用小袋およびその製造方法を提供することを目的とする。そして、本発明者らは、上記目的を達成するため鋭意検討した結果、以下の要旨構成に係る調味品用小袋および製造方法を開発するに到った。
【０００７】
すなわち、本発明は、食品を封入してなる小袋のいずれか一方の外面に、両面接着テープを貼付したことを特徴とする調味品用小袋である。
【０００８】
なお、本発明においては、前記小袋が、少なくとも基材フィルム層とヒートシール層とからなる積層フィルムを、ヒートシールすることにより形成された軟質プラスチック製のものであることが好ましい。
【０００９】
また、本発明は、少なくとも基材フィルム層とヒートシール層とからなる積層フィルムを繰出し走行させながら、縦および横のそれぞれのヒートシールによって、その積層フィルムをヒートシールして小袋を製造するに当たり、縦・横ヒートシールに先立ち、繰出し走行中の積層フィルムの基材フィルム層側の外表面に、両面接着テープを貼り付けることを特徴とする調味品用小袋の製造方法である。
【００１０】
なお、本発明においては、前記両面接着テープの貼付を、横ヒートシールの作動ピッチに合わせて行うことが好ましい。
【００１１】
【発明の実施の形態】
図２に本発明にかかる調味品用小袋の概略図を示す。本発明にかかる小袋は、そのいずれか一方の外面に、両面接着テープ９が貼付されたものである。この両面接着テープ９は、小袋７外表面、とくに基材フィルム層の外表面のいずれか一箇所以上に、小範囲で設ければよく、全面にわたって貼付する必要はない。
【００１２】
なお、両面接着テープ９の小袋貼付面とは逆の面（露出する側の面）は、剥離紙等からなる保護フィルム１０を貼付したままにしておくことが好ましい。この保護フィルム１０は、販売店等において小袋を弁当等に貼付する際に剥がして使用することが好ましい実施の形態である。
【００１３】
このように、本発明にかかる調味品用小袋は、両面接着テープによって小範囲で弁当等に接着されているため、取外しが容易であり、さらに両面接着テープの片面に設けられた保護フィルムを外すことのみにより容易に弁当等へ貼付あるいは取外すことができる。
【００１４】
なお、本発明にかかる調味品用小袋は、二軸延伸ナイロンフィルムや二軸延伸エチレン−ビニルアルコール共重合体樹脂フィルムなどの延伸プラスチックフィルム、金属箔、紙などの基材フィルム層と、エチレン−ビニルアセテートコポリマーや無延伸高密度ポリエチレンなどの熱溶融樹脂からなるヒートシール層との積層フィルムからなり、該積層フィルムを二つに折畳んだ際の縦方向および横方向３ヶ所の開封部がそれぞれ、ヒートシールにより融着されて小袋が形成されている。さらに、ヒートシール部のうちのいずれか一ヶ所以上には、マイナスノッチが設けられていることが好ましい。
【００１５】
また、本発明にかかる製造方法では、繰出し走行中にあって、十分な張力の作用状態にある積層フィルムに対し、両面接着テープを貼付するため、小袋の可撓性および、調味品充填後の小袋形態のいかんにかかわらず、この発明にかかる小袋を簡易・迅速に製造することができるのである。
【００１６】
なお、自動充填製袋機を含む一般的な製袋機では、縦ヒートシールがガイドロールの走行に合わせて連続的に行われるのに対し、横ヒートシールは、小袋のサイズに合わせて一定のピッチで行われる。そのため、両面接着テープの積層フィルムへの貼付は、この横ヒートシールの作動ピッチに合わせて行うことが好ましく、このようにすることで、小袋毎に確実に貼付することができるのである。
【００１７】
【実施例】
以下、本発明の一実施例を図面に基づいて説明する。図３は、本発明にかかる製造方法を自動充填製袋機にて実施する場合を例示する図である。この自動充填製袋機では、巻取りロール１１から繰出した積層フィルム１を、ガイドロール１２、１３、１４に順次に通過させた後、折畳み装置１５によって幅方向に二つ折りにし、次いで、二つ折り状態のその積層フィルム１を、そのフィルム１の繰出しロールを兼ねる縦シールロール１６および横シールロール１７に順次に通過させて、縦シールロール１６においては、二本一対の回転ロールに設けたそれぞれのフランジ状ヒートシール刃１６ａによって積層フィルム１の遊端部分に縦シール６を施し、また、横シールロール１７においては、二本一対の回転ロールに、それらの長さ方向に延在させて、周方向に間隔をおいて設けたヒートシール刃１７ａによって、積層フィルム１に、それの長さ方向に所定の間隔をおく横シール５を施す。
【００１８】
このようにして製造される小袋７の内側への被充填材料、たとえば液体の充填は、充填手段としてのノズル１８により、縦シール終了後の積層フィルム内へ液体を連続的に供給しつつ、横シールロール１７によって、いわゆる液中シールを施すことにより行なわれ、このようにして液体を充填した後の小袋７は、たとえば横シールロール１７の下方に配設したカッターロール１９により、横シール５の中間位置で切断される。
【００１９】
以上のようにして自動充填製袋を行うにあたり、本発明では巻取りロール１１から、所定の張力作用下で繰出し走行される積層フィルム１に対し、ガイドロール１３の近傍部分で、両面接着テープ貼付装置８において、所要のサイズに切断された両面接着テープ９が貼付される。なお、両面接着テープ貼付装置８は、主に両面接着テープロール８ａ、切断刃８ｂおよび巻取りロール８ｃから構成されている。両面接着テープロール８ａから繰出された両面接着テープ９の両面にはそれぞれ、台紙と保護フィルムが貼付されており、台紙を巻取りロール８ｃで巻取り回収しながら、保護フィルム付きの両面接着テープ９が切断刃８ｂによって切り取られ、積層フィルム１に貼付される。また、両面接着テープ貼付装置８の各構成機器は横ヒートシールロール１７の回転ピッチに合わせて動作するように制御されているため、両面接着テープ９を各小袋７上に確実に貼付させることができるのである。
【００２０】
また、この方法によれば、所要の張力の作用下で繰出し走行中の積層フィルム１に対して、両面接着テープ９を貼付できることから、積層フィルム１、ひいては小袋７の可撓性のいかんにかかわらず、かつ、小袋７製造後の形態のいかんにかかわらず、常に適切に両面接着テープ９を貼付することができるのである。
【００２１】
【発明の効果】
以上に述べたところから明らかなように、本発明にかかる調味品用小袋およびその製造方法によれば、弁当等に対して容易に取付けあるいは取外しを行うことができるため、取外し時に生じる調味品の飛散や、取付け時の手間を省くことができると共に、従来の自動充填製袋機を含む一般的な製袋機を用いて簡単に製造することができる。
【図面の簡単な説明】
【図１】従来の調味品用小袋の接着方法を示す概略図である。
【図２】本発明にかかる調味品用小袋を例示する図である。
【図３】本発明にかかる調味品用小袋の製造方法の実施装置を例示する略線図である。
【符号の説明】
１　　積層フィルム
４　　マイナスノッチ
５　　横シール
６　　縦シール
７　　小袋
８　　両面接着テープ貼付装置
８ａ　両面接着テープロール
８ｂ　切断刃
８ｃ　巻取りロール
９　　両面接着テープ
１０　　保護フィルム
１１　　巻取りロール
１２，１３，１４　　ガイドロール
１６　　縦シールロール
１７　　横シールロール
１８　　ノズル
１９　　カッターロール
【図１】
2004131112.tif 000003
【図２】
2004131112.tif 000004
【図３】
2004131112.tif 000005